(57)【特許請求の範囲】
【請求項１】
中央にガイド凸部を有し側部に受端子を有する接続器と、この接続器を中央に収納する収納部を有する照明器具本体と、基板を有し前記基板の中央に前記ガイド凸部を挿入するガイド受部を有し前記基板の背面に前記受端子に接続される接続端子を突設し前記基板の前面にＬＥＤチップおよび電子部品を設けた灯体と、前記収納部に挿入される側壁を周縁部に有する器状であってレンズ部となる内底面に向けて前記ＬＥＤチップおよび電子部品が納まるように前記基板を支持する段部を前記側壁の内周面に形成したレンズと、前記照明器具本体の前記収納部の開口の外周を覆うように前記照明器具本体に取付けられる略筒状であって前記レンズを内部に挿入させて支持するフランジを前端縁部に有する器具カバーとを備え、前記ガイド凸部の突出高さを前記接続端子の突出高さより大きくし、かつ前記接続端子が前記受端子に接続された状態で前記基板の前記ガイド受部を貫通して前記ＬＥＤチップを通り過ぎた位置まで達する寸法とした照明器具。
【請求項２】
灯体はＬＥＤを光源として備える請求項１記載の照明器具。
【発明の詳細な説明】
【０００１】
【発明の属する技術分野】
この発明は、照明器具に関するものである。
【０００２】
【従来の技術】
従来例１として特開平９−３５８３７号公報に示す照明器具がある。この照明器具のランプは、口金に設けられたガイド突起（突出部）と、このガイド突起と同方向に設けられたランプピンとを有する。また、ソケットは、ランプのガイド突起が挿入されるガイド凹部と、ランプピンに接触する接触端子部（導電板）とを有する。
【０００３】
従来例２として特開２００１−５２５０４号公報に示す照明装置がある。この照明装置は、発光ダイオードＬＥＤを光源とする発光部と、電球用ソケットに装着可能で発光ダイオードＬＥＤと電気的に接続された口金とを備えている。
【０００４】
【発明が解決しようとする課題】
従来例１では、ソケットにランプを装着する際には、まず中心のガイド突起をソケット中央のガイド凹部に挿入して、その後ランプピンがソケットの接触端子部に挿入される。しかし、取り付けガイド性を確保するためは、ガイド突起の高さ＞ランプピンの長さ、となる。ソケットにおいては、ガイド凹部の深さ＞接触端子部深さ、となるため、ソケットの厚みは、ガイド凹部の深さが必要になり、大型化する欠点があった。
【０００５】
従来例２では、ＬＥＤ発光部分は薄型小型であるが、口金部分が大きいため、結果として照明器具の厚みが大型化しＬＥＤの特徴である薄型小型化が達成困難になる欠点があった。
【０００６】
したがって、この発明の目的は、ランプまたは灯体装着時の取り付けガイド性を確保しつつ、薄型化が可能となる照明器具を提供することである。
【０００７】
【課題を解決するための手段】
上記課題を解決するためにこの発明の請求項１記載の照明器具は、中央にガイド凸部を有し側部に受端子を有する接続器と、この接続器を中央に収納する収納部を有する照明器具本体と、基板を有し前記基板の中央に前記ガイド凸部を挿入するガイド受部を有し前記基板の背面に前記受端子に接続される接続端子を突設し前記基板の前面にＬＥＤチップおよび電子部品を設けた灯体と、前記収納部に挿入される側壁を周縁部に有する器状であってレンズ部となる内底面に向けて前記ＬＥＤチップおよび電子部品が納まるように前記基板を支持する段部を前記側壁の内周面に形成したレンズと、前記照明器具本体の前記収納部の開口の外周を覆うように前記照明器具本体に取付けられる略筒状であって前記レンズを内部に挿入させて支持するフランジを前端縁部に有する器具カバーとを備え、前記ガイド凸部の突出高さを前記接続端子の突出高さより大きくし、かつ前記接続端子が前記受端子に接続された状態で前記基板の前記ガイド受部を貫通して前記ＬＥＤチップを通り過ぎた位置まで達する寸法としたものである。
【０００８】
このように、灯体に接続端子を突出形成するとともにガイド受部を設け、接続器に接続端子に接続される受端子を設けるとともにガイド凸部を設け、このガイド凸部の突出高さを接続端子の突出高さより大きくしたので、灯体装着時の取り付けガイド性が向上する。また、ガイド凸部と接続端子を反対側に設けたので、接続端子に接続される受端子を設ける側にガイド受部が配置されず、このガイド受部の深さを確保する必要がない。
とくに、ガイド凸部は灯体の光源位置を通り過ぎた位置まで達しているので、取り付け時にガイド凸部が灯体内に入り込み、さらに灯体の光源側に形成される配光特性上必要な空間の寸法内に入り込む。このため、ガイド凸部はもともと必要な空間を有効に利用して収めることができる。また、これに伴いガイド受部の深さはガイド凸部の突出高さより小さくてもよいので、灯体を接続器に取り付けた全体の厚みは薄くなる。このため、薄型化が可能となる。
【００１１】
請求項２載の照明器具は、請求項１記載の照明器具において、灯体はＬＥＤを光源として備える。このように、灯体はＬＥＤを光源として備えるので、光源の小型、長寿命化を図ることができる。
【００１３】
【発明の実施の形態】
この発明の第１の実施の形態を図１ないし図７に基づいて説明する。図１はこの発明の実施の形態の第１の実施の形態の照明器具の取付説明図、図２はこの発明の第１の実施の形態の照明器具の分解斜視図、図３はその組立てた状態の斜視図である。
【００１４】
図１〜３に示すように、照明器具本体１と、光源を有する灯体２と、この灯体２に接続されて給電を行う接続器３と、レンズ４と、器具カバー５とを備えている。
【００１５】
照明器具本体１は、灯体２と接続器３を収める収納部６を有し、この収納部６の開口縁部に器具側ガイド７が設けてある。また、収納部６から突出するように筒体８が一体に形成され、その中心に電源線９の挿通孔１０が設けてある。
【００１６】
灯体２は、光源となるＬＥＤチップ１１と電子部品１２が設けられたＬＥＤモジュールであり、ＬＥＤチップ１１等を設けた面と反対側の面に複数の接続端子１３，１３が突出形成されている。また、灯体２の縁部に器具側ガイド７に嵌合するガイド溝１４が設けられ、中心にガイド受部１５を有する。
【００１７】
接続器３は、図４および図５に示すように、ボディ１６、灯体２の接続端子１３，１３に接続される一対の受端子１７，１７および一対のカバー１８，１８を備えている。
【００１８】
ボディ１６には、一対の受端子１７，１７を配置する一対の凹部１９，１９が並設してある。凹部１９は受端子１７を位置決めした状態で収納できる形状であり、その内部に電源線９を挿入するための挿入孔２０が凹部１９に開口するように形成されている。
【００１９】
また、一対の凹部１９，１９の間に位置するボディ１６の中央部に、灯体２のガイド受部１５に挿入するガイド凸部２１を設けている。ガイド受部１５とガイド凸部２１は、灯体２と接続器３の接続時に挿入され相互のガイドとして用いられる。また、ガイド凸部２１の突出高さは接続端子１３の突出高さより大きくして、灯体装着時の取り付けガイド性を向上させている。
【００２０】
また、受端子１７には、ばね性を有した一対の接触片２２，２２を形成している。各接触片２２は、灯体２の接続端子１３を挟持可能な間隔で対向配置される。また、受端子１７と一体に速結端子２３が設けてある。この速結端子２３は挿入孔２０に対応するように配置され、挿入孔２０より電源線９が挿入されることで接続できるように構成される。
【００２１】
カバー１８は、ボディ１６の開口部を覆い、受端子１７を凹部１９に固定する。この場合、ボディ６の側面に係合部２４ａを設け、これと係合する被係合部２４ｂをカバー１８に設けることで、カバー１８をボディ１６に開閉自在に取り付けることができる。また、受端子１７に対応する位置に灯体２の接続端子１３を挿通する接続端子挿入孔２５が設けてある。
【００２２】
また、図１および図２に示すように、レンズ４は、周縁部に側壁を有する器状であり、側壁の内周面に灯体２を支持する段部４ａが形成されている。レンズ４の側壁は、照明器具本体１の収納部６内に挿入される。器具カバー５は、略筒状であり、レンズ４を支持するフランジ５ａが端縁部の内周側に突設され、照明器具本体１の収納部６の外周面を覆うように取り付けられる（図７）。この照明器具の設置状態では、図６に示すように、取付板３０に設けた開口部３０ａに照明器具本体１の筒体８を挿入して設置される。また、接続器３に接続された電源線９は、筒体８より取付板３の裏側に導出され、ＬＥＤ供給電源部３１に接続される。
【００２３】
つぎに、この照明器具の組立ておよび作用について説明する。図１に示すように、接続器３を照明器具本体１の収納部６の中央部に固定し、灯体２の接続端子１３を接続器３の受端子１７に接続する。このとき、まずガイド凸部２１をガイド受部１５に挿入した時には、接続端子１３が接続器３の接続端子挿入孔２５に挿入されていない。これにより、灯体２と接続器３が位置決めされ、接続端子１３を接続端子挿入孔２５に円滑に案内することができ、灯体装着時の取り付けガイド性が向上する。
【００２４】
また、図７に示すように、照明器具を組立てた状態では、ガイド凸部２１は灯体２のＬＥＤチップ１１の光源位置を通り過ぎた位置まで達している。Ａは配光特性上必要な、灯体２からレンズ４までの寸法である。ガイド凸部２１はもともと必要な寸法Ａ内に入り込むために、スペースを有効に使うことができる。このため、接続器３を取り付けた状態での厚み寸法Ｂは薄くなる。
【００２５】
以上のようにこの実施の形態によれば、ガイド凸部２１と接続端子１３を反対側に設けたので、接続端子１３に接続される受端子１７を設ける側にガイド受部１５が配置されず、このガイド受部１５の深さを確保する必要がない。このため、薄型化が可能となる。
【００２６】
また、ガイド凸部２１はもともと必要な空間を有効に利用して収めることができ、ガイド受部１５の深さはガイド凸部２１の突出高さより小さくてもよいので、灯体２を接続器３に取り付けた全体の厚みは薄くなる。
【００２７】
この発明の第２の実施の形態の照明器具を図８ないし図１２に基づいて説明する。図８はこの発明の第２の実施の形態の照明器具の分解斜視図、図９はこの発明の第２の実施の形態の照明器具の上方から見た斜視図、図１０はその下方から見た斜視図である。
【００２８】
図８〜１２に示すように、光源を有する灯体３２と、この灯体３２に接続されて給電を行う接続器３３とを備えている。
【００２９】
灯体３２は、コンパクト蛍光灯であり、図のように光源部３２ａを上面に有する口金の底部に接続端子３４を突出形成するとともに、ガイド受部３５が設けてある。ガイド受部３５は角孔で、その内側面に灯体保持凹部３６が設けてある。
【００３０】
接続器３３は、回転子３７、ボディ３８、受端子３９およびカバー４０からなる。回転子３７はボディ３８に回転可能に取り付けられ、灯体３２のガイド受部３５に挿入されるガイド凸部４１が設けてある。このガイド凸部４１の突出高さを接続端子３４の突出高さより大きくしている。この場合、ガイド凸部４１の側面に形成された凹所には、灯体保持凹部３６に係合する灯体保持突起４２が立設されている。また、接続端子３４に対応する回転子３７およびボディ３８の位置に、接続端子３４を挿入する接続端子挿入孔４３，４４が設けてある。ボディ３８側の接続端子挿入孔４４は、回転子３７の回転に伴って接続端子３４が移動できるように長孔になっている。
【００３１】
ボディ３８はその内部に受端子３９を収めた状態でカバー４０に固定される。受端子３９はカバー４０に取り付けられ、回転子３７を回転することで接続端子３４を接続できるように構成してある。
【００３２】
つぎに、この照明器具の組立ておよび作用について説明する。図１１および図１２に示すように、灯体３２の接続端子３４を接続器３３の受端子３９に接続する際、まずガイド凸部４１をガイド受部３５に挿入した時には、接続端子３４が接続器３３の接続端子挿入孔４３，４４に挿入されていない。これにより、灯体３２と接続器３３が位置決めされ、接続端子３４を接続端子挿入孔４３，４４に案内することができる。
【００３３】
また、照明器具を組立てた状態では、ガイド凸部４１は灯体３２の光源部３２ａの位置まで達していてもよい。この実施の形態でも、第１の実施の形態と同様に、灯体装着時の取り付けガイド性の向上および薄型化が可能となる。
【００３４】
なお、接続器に接続端子を突出形成するとともにガイド受部を設け、灯体に接続端子に接続される受端子を設けるとともにガイド凸部を設け、このガイド凸部の突出高さを接続端子の突出高さより大きくしてもよい。
【００３５】
【発明の効果】
この発明の請求項１記載の照明器具によれば、灯体に接続端子を突出形成するとともにガイド受部を設け、接続器に接続端子に接続される受端子を設けるとともにガイド凸部を設け、このガイド凸部の突出高さを接続端子の突出高さより大きくしたので、灯体装着時の取り付けガイド性が向上する。また、ガイド凸部と接続端子を反対側に設けたので、接続端子に接続される受端子を設ける側にガイド受部が配置されず、このガイド受部の深さを確保する必要がない。
また、ガイド凸部は灯体の光源位置を通り過ぎた位置まで達しているので、取り付け時にガイド凸部が灯体内に入り込み、さらに灯体の光源側に形成される配光特性上必要な空間の寸法内に入り込む。このため、ガイド凸部はもともと必要な空間を有効に利用して収めることができる。また、これに伴いガイド受部の深さはガイド凸部の突出高さより小さくてもよいので、灯体を接続器に取り付けた全体の厚みは薄くなる。このため、薄型化が可能となる。
【００３８】
請求項２では、請求項１において、灯体はＬＥＤを光源として備えるので、光源の小型、長寿命化を図ることができる。
【図面の簡単な説明】
【図１】この発明の第１の実施の形態の照明器具の取付説明図である。
【図２】この発明の第１の実施の形態の照明器具の分解斜視図である。
【図３】図２の組立てた状態の斜視図である。
【図４】接続器の斜視図である。
【図５】接続器の分解斜視図である。
【図６】この発明の第１の実施の形態の照明器具の設置状態の説明図である。
【図７】この発明の第１の実施の形態の照明器具を組立てた状態の説明図である。
【図８】この発明の第２の実施の形態の照明器具の分解斜視図である。
【図９】この発明の第２の実施の形態の照明器具の上方から見た斜視図である。
【図１０】図９の下方から見た斜視図である。
【図１１】この発明の第２の実施の形態の照明器具の取付説明図である。
【図１２】この発明の第２の実施の形態の照明器具の組立てた状態の説明図である。
【符号の説明】
１  照明器具本体
２，３２  灯体
３，３３  接続器
１３，３４  接続端子
１５，３５  ガイド受部
１７，３９  受端子
２１，４１  ガイド凸部
【図１】
0003970615.tif 000002
【図２】
0003970615.tif 000003
【図３】
0003970615.tif 000004
【図４】
0003970615.tif 000005
【図５】
0003970615.tif 000006
【図６】
0003970615.tif 000007
【図７】
0003970615.tif 000008
【図８】
0003970615.tif 000009
【図９】
0003970615.tif 000010
【図１０】
0003970615.tif 000011
【図１１】
0003970615.tif 000012
【図１２】
0003970615.tif 000013